(57)【特許請求の範囲】
【請求項１】
カード状部材が挿入されるカード状部材挿入部が前面に開口したハウジングと、前記カード状部材を押し出し方向に付勢する付勢手段と、所定の押し込み位置において前記カード状部材の移動を規制するロック機構とを備え、針金棒状をした取出し操作用ピンを前記ハウジング内に挿入することにより前記ロック機構の規制が解除され、前記カード状部材が前記付勢手段によって押し出されるようにした取出し機能付きカードコネクタにおいて、
前記ハウジングのロック機構の手前側部には、前記取り出し操作用ピンがハウジング内に挿入された際に、その先端が前記ロック機構に到達する前に、該取り出し操作用ピンによって動作される取出し操作検知スイッチを備え、
該取り出し操作検知スイッチは、挿入操作側スイッチコンタクト及び被操作側スイッチコンタクトを有し、該操作側スイッチコンタクトは、接続基板上に形成された接地パターンに接続され、且つ前記ハウジング内に挿入された取出し操作用ピンによって横方向に押し出し動作される操作用凸部を有するとともに該操作用凸部と一体に可動接点部を有し、前記取出し操作用ピンの挿入動作に伴い前記操作用凸部が側方に押し出されることによって前記可動接点部が被操作側スイッチコンタクトの接点部に接触又は接点部より離反するようにしたことを特徴としてなる取出し機能付きカードコネクタ。
【請求項２】
前記カード状部材挿入部の奥側部には、前記カード状部材の縁部と接触することによりオンまたはオフ動作されるタイミングスイッチを備えた請求項１に記載の取出し機能付きカードコネクタ。
【発明の詳細な説明】
【技術分野】
【０００１】
本発明は、ＩＣカード等のカードを基板に接続するためのカードコネクタであって、カードを簡単な操作で取り出すことのできる取り出し機能付きカードコネクタに関する。
【背景技術】
【０００２】
従来、この種のカードコネクタにおいては、プッシュピンを操作することによりカードを収容したカードトレイ等のカード状部材をハウジング内より取り出すことができる取出し機能付きのものが知られている（例えば、特許文献１）。
【０００３】
この取出し機能付きカードコネクタは、例えば、図１９に示すように、ハウジング１００のカード挿抜方向奥側に回動可能に支持された押出アーム１０１を備え、プッシュピン１０２で押出しアーム１０１の一方の端部を押し込むことにより押出アーム１０１を回動させ、アームの他端側１０３でカードトレイ１０４の奥側縁を排出方向に押し出すようになっている。
【０００４】
プッシュピン１０２は、図の如くコネクタと一体的に組み込まれているものの他、外部よりコネクタ内に挿入するものも知られている。
【０００５】
また、このような取出し機能付きカードコネクタでは、カードトレイ等のカード状部材の挿抜時に、カード挿入部内に露出している信号伝達用のコンタクトを非活線状態とするために、カード状部材が挿入される挿入部の奥側に、カードの信号伝達端子に対する接触子の接触タイミングに合わせてオン・オフ動作するタイミングスイッチが備えられている（例えば、特許文献２）。
【０００６】
このスイッチは、カード挿入部の奥部に設けられており、カード挿入部の奥部側にコネクタ幅方向に向けて配置した操作側スイッチコンタクトと、その内側に配置した固定側スイッチコンタクトとから構成されており、メモリーカードの挿入によって操作側スイッチコンタクトが押され、接点部が固定側スイッチコンタクトに接触又は離脱することによってオン状態又はオフ状態となるようにしている。
【先行技術文献】
【特許文献】
【０００７】
【特許文献１】特開平１０−１８９１３９号公報
【特許文献２】特開２００４−２３５１６０号公報
【発明の概要】
【発明が解決しようとする課題】
【０００８】
しかしながら、上述の如き従来の技術では、ハウジングよりカードトレイ等のカード状部材を取り出す際に、タイミングスイッチのオン・オフ動作のタイミングがカードの信号伝達端子に対するコンタクトの離脱タイミングと同時になされなければならず、タイミングスイッチの動作が信号伝達用コンタクトの離脱タイミングより少しでも遅れると、カードと接続基板とが未だ活線状態にあるにも関わらず、カードが取出されてしまい、カードに記憶された情報が消えてしまう等の障害が生じる虞があるという問題があった。
【０００９】
また、イジェクトピン等の取出し操作用ピンが金属棒等の帯電性材料からなるものである場合、当該取出し用部材を静電気が帯電したままハウジング内に挿入すると静電気により機器に障害が生じる虞があるという問題があった。
【００１０】
本発明は、このような従来の問題に鑑み、正確にカードトレイの出し入れを検知することができるとともに静電気等による障害を防止することができる取出し機能付きカードコネクタの提供を目的としてなされたものである。
【課題を解決するための手段】
【００１１】
上述の如き従来の問題を解決し、所期の目的を達成するための請求項1に記載の発明の特徴は、カード状部材が挿入されるカード状部材挿入部が前面に開口したハウジングと、前記カード状部材を押し出し方向に付勢する付勢手段と、所定の押し込み位置において前記カード状部材の移動を規制するロック機構とを備え、針金棒状をした取出し操作用ピンを前記ハウジング内に挿入することにより前記ロック機構の規制が解除され、前記カード状部材が前記付勢手段によって押し出されるようにした取出し機能付きカードコネクタにおいて、
【００１２】
前記ハウジングのロック機構の手前側部には、前記取り出し操作用ピンがハウジング内に挿入された際に、その先端が前記ロック機構に到達する前に、該取り出し操作用ピンによって動作される取出し操作検知スイッチを備え、
【００１３】
該取り出し操作検知スイッチは、挿入操作側スイッチコンタクト及び被操作側スイッチコンタクトを有し、該操作側スイッチコンタクトは、接続基板上に形成された接地パターンに接続され、且つ前記ハウジング内に挿入された取出し操作用ピンによって横方向に押し出し動作される操作用凸部を有するとともに該操作用凸部と一体に可動接点部を有し、前記取出し操作用ピンの挿入動作に伴い前記操作用凸部が側方に押し出されることによって前記可動接点部が被操作側スイッチコンタクトの接点部に接触又は接点部より離反するようにしたことにある。
【００１４】
請求項２に記載の発明の特徴は、請求項１の構成に加え、前記カード状部材挿入部の奥側部には、前記カード状部材の縁部と接触することによりオンまたはオフ動作されるタイミングスイッチを備えたことにある。
【発明の効果】
【００１５】
本発明に係る取出し機能付きカードコネクタは、上述したように、カード状部材が挿入されるカード状部材挿入部が前面に開口したハウジングと、前記カード状部材を押し出し方向に付勢する付勢手段と、所定の押し込み位置において前記カード状部材の移動を規制するロック機構とを備え、針金棒状をした取出し操作用ピンを前記ハウジング内に挿入することにより前記ロック機構の規制が解除され、前記カード状部材が前記付勢手段によって押し出されるようにした取出し機能付きカードコネクタにおいて、前記ハウジングのロック機構の手前側部には、前記取り出し操作用ピンがハウジング内に挿入された際に、その先端が前記ロック機構に到達する前に、該取り出し操作用ピンによって動作される取出し操作検知スイッチを備え、該取り出し操作検知スイッチは、挿入操作側スイッチコンタクト及び被操作側スイッチコンタクトを有し、該操作側スイッチコンタクトは、接続基板上に形成された接地パターンに接続され、且つ前記ハウジング内に挿入された取出し操作用ピンによって横方向に押し出し動作される操作用凸部を有するとともに該操作用凸部と一体に可動接点部を有し、前記取出し操作用ピンの挿入動作に伴い前記操作用凸部が側方に押し出されることによって前記可動接点部が被操作側スイッチコンタクトの接点部に接触又は接点部より離反するようにしたことにより、カードトレイ等のカード状部材が実際に取出される前に取出し操作の開始を検知することができる。
【００１６】
また、本発明において、前記操作側スイッチコンタクトは、接続基板上に形成された接地パターンに接続させておくようにしたことにより、操作用ピンに帯電していた静電気を接地側に開放して取り除くことができ、静電気により機器等へ障害が生じるのを防止することができる。
【００１７】
更に本発明において、前記カード状部材挿入部の奥側部には、前記カード状部材の縁部と接触することによりオンまたはオフ動作されるタイミングスイッチを備えたことにより、タイミングスイッチのスイッチングとコンタクトの離脱タイミングとの間にタイムラグが生じたとしてもデータが消去されてしまう等の障害を防止することができる。
【図面の簡単な説明】
【００１８】
【図１】本発明に係る取出し機能付きカードコネクタの一例を示す平面図である。
【図２】同上の底面図である。
【図３】同上の側面図である。
【図４】同上のＡ−Ａ線断面図である。
【図５】（ａ）は図１中のカードトレイを示す平面図、（ｂ）は同底面図、（ｃ）は同Ｂ-Ｂ線断面図ある。
【図６】図１に示すカードコネクタの押し出し停止位置における状態を示すシールドケースを取り除いた平面図である。
【図７】同上の取出し操作検知スイッチ部分を示す部分拡大平面図である。
【図８】（ａ）は図６中の操作側スイッチコンタクトを示す平面図、（ｂ）は同側面図である。
【図９】（ａ）は同上の被操作側スイッチコンタクトを示す平面図、（ｂ）は同正面図、（ｃ）は同側面図である。
【図１０】同上のカードトレイがフルロックされた状態を示すシールドケースを取り除いた平面図ある。
【図１１】取出し操作用ピンを挿入した際の取出し操作検知スイッチ部分を示す部分拡大断面図である。
【図１２】同上の取出し操作検知スイッチのオン状態を示すシールドケースを取り除いた平面図ある。
【図１３】同上の操作検知スイッチ部分を示す部分拡大断面図である。
【図１４】同上のロック機構を解除した状態を示すシールドケースを取り除いた平面図ある。
【図１５】（ａ）はフルロックされた状態のロック部材の状態を示す部分拡大断面図、（ｂ）はロック部材のロックが解除された状態を示す部分拡大断面図である。
【図１６】同上の取出し動作中の状態を示すシールドケースを取り除いた平面図ある。
【図１７】同上のロック機構部分の他の一例を示す部分拡大平面図である。
【図１８】操作検知スイッチ部分の他の一例を示す部分拡大断面図である。
【図１９】従来の取出し機能付きカードコネクタの一例を示す部分破断平面図である。
【発明を実施するための形態】
【００１９】
次に、本発明に係るカードコネクタの実施の態様を、図面に示した実施例に基づいて説明する。尚、図中符号ＡはＩＣカード等のカードである。
【００２０】
このカードコネクタは、カードＡを収容したカードトレイ１をハウジング２に挿入することにより、カードＡの片面に配置された信号伝達端子部３，３......がハウジング２内に支持された信号伝達用のコンタクト４，４......と弾性的に接触し、コンタクト４，４......を介してカードＡをハウジング２が設置された基板に電気的に接続させるようになっている。
【００２１】
カードトレイ１は、図５に示すように、片面側にカードＡが収容されるカード収容凹部５ａを有する平板状の本体部５と、本体部５の出し入れ方向手前側に配置された前縁露出部６とを有して絶縁性樹脂材により一体に形成されている。
【００２２】
尚、本明細書においては、「前」はカードトレイの出し入れ方向手前側をいい、「後」は出し入れ方向奥側をいうものとする。
【００２３】
前縁露出部６は、カードコネクタが電気機器に組み込まれた際に機器躯体の外側面に露出するようになっており、カードトレイ１がハウジング２より排出された場合、カードトレイ１が機器躯体の外側面より引き出し状に突出するようになっている。尚、図中符号７は、後述する操作用ピン８をガイドするためのガイド孔である。
【００２４】
ハウジング２は、絶縁樹脂材からなるモールドケース１０と、シールドカバー１１とを組み込んで形成され、カードトレイ１が挿入されるカード状部材挿入部１２が前面に開口して形成されている。
【００２５】
このカード状部材挿入部１２の奥部には、カードの信号伝達端子３に対する信号伝達用のコンタクト４の接触タイミングに合わせてオフ動作するタイミングスイッチ１３が備えられている。タイミングスイッチ１３は、カードトレイ１が所定の押し込み位置まで挿入された際にカードトレイ１の後縁部に押されてオフ動作がされるようになっている。
【００２６】
このタイミングスイッチ１３は、カードトレイ１の押し込み動作により操作される操作片部１４ａを有するタイミング用操作側スイッチコンタクト１４と、タイミング用被操作側スイッチコンタクト１５とをもって構成されている。
【００２７】
操作側スイッチコンタクト１４は、モールドケース１０の奥側壁部１０ａに支持された支持部１４ｂより前向きに傾斜した弾性操作片部１４ａを有し、弾性操作片部１４ａの先端に後向きの後延長部１４ｃが形成され、その後端に横向きに折り曲げた形状の可動接点部１４ｄが形成されている。尚、図中符号１４ｅは接続基板に形成された接続パターンに半田付けされる接続端子部である。
【００２８】
被操作側スイッチコンタクト１５は、図示しない接地用端子部を介してアース接続された本体部より上向きに折り曲げた形状の固定端子１５ａを有している。
【００２９】
また、カード状部材挿入部１２の側部には、カードトレイ１の出入り方向に移動可能なスライダー１６と、モールドケース１０に反力をとってスライダー１６を押し出し方向に付勢する復帰バネ１７とを備え、カードトレイ１と共にスライダー１６が出入り方向に移動するようになっている。
【００３０】
また、このカード状部材挿入部１２の側部には、所定の押し込み位置でスライダー１６の移動を規制するロック機構を備え、このロック機構は、針金棒状のピンからなる取出し操作用ピン８をスライダー１６の移動方向に沿って動作させることにより規制が解除できるようになっている。
【００３１】
ロック部材１８は、弾性を有する金属性板材を折り曲げ加工することにより全体が一体に形成され、スライダー１３に対して弾性的に係合可能な弾性係止部１９を有している。
【００３２】
弾性係止部１９は、平板状のバネ基部１８ａと、バネ基部１８ａの側縁に支持された弾性バネ片１８ｂ，１８ｂを介して支持された可動板部１８ｃとを有して構成されている。
【００３３】
バネ基部１８ａは、モールドケース１０を成形する際にインサート成型によりモールドケース１０の底板部と一体化されたインサート部１８ｄに一体に支持されて、モールドケース１０底板部に形成された逃げ用孔２０の内縁より孔２０内に突出して形成され、インサート部側の基端部を軸に弾性的に上下方向で回動することができるようになっている。
【００３４】
弾性バネ片１８ｂは、バネ基部１８ａの側縁より上向きに折り曲げた形状に形成され、可動板部１８ｃがバネ基部１８ａに対し回動できるようにするとともにそのバネ性により可動板部１８ｃを原位置に復帰させるようになっている。
【００３５】
可動板部１８ｃは、細長板状に形成され、その長手方向の出し入れ方向奥側端に係合部２１が形成されている。
【００３６】
係合部２１は、先端部をスライダー側に向けて略直角に折り曲げた形状に形成され、係合用切欠部２２の挿抜方向奥側内側縁と互いに係合されるようになっている。
【００３７】
この可動板部１８ｃの手前側部には、スライダー側に突出した被操作部２３が形成されている。
【００３８】
被操作部２３は、プレス加工により上面視円弧状に形成され、係合部２１がスライダー１３と互いに係合している際には、スライダー１３の手前側端部の出し入れ方向手前側に突出するように配置されている。
【００３９】
操作用ピン８は、モールドケースの側部に形成されたカードトレイ１の出し入れ方向に向けたピン挿入部２４内を通して挿入され、ピン挿入部２４の奥側にスライダー１６及びロック機構が配置されるようになっている。
【００４０】
また、ピン挿入部２４の出し入れ方向手前側部には、取出し操作検知スイッチ２５を備え、このスイッチ２５は、ピン挿入部２４内に取出し操作用ピン８が挿入されることによってオン動作がなされて取出し操作用ピン８の挿入を検知できるようになっている。
【００４１】
この取出し操作検知スイッチ２５は、それぞれ取出し操作用ピン８の挿抜方向に向けて配置された操作側スイッチコンタクト２６と被操作側スイッチコンタクト２７とから構成されており、両コンタクト２６，２７の内、被操作側スイッチコンタクト２７が外側、即ちモールドケース１０の一方の側面側にあり、その内側、即ちカード挿入部１２側に操作側スイッチコンタクト２６が配置されている。
【００４２】
操作側スイッチコンタクト２６には、図７に示すように、ピン挿入部２４内に挿入される取出し操作用ピン８によって側方に押し出される操作用凸部３０が湾曲形成され、その先端に被操作側スイッチコンタクト側に向いて突出した可動接点部３１を有している。被操作側スイッチコンタクト２７には、前記可動接点部３１の先端に対向する位置に板状の接点部４０が備えられ、操作用ピン８の挿入によって操作用凸部３０が側方に押し出されることにより、可動接点部３１が接点部４０に接触し、スイッチがオン状態となるようになっている。
【００４３】
操作側スイッチコンタクト２６は、図８に示すように、導電性金属板材を打ち抜き・折り曲げ加工することにより全体が一体に形成され、固定部３２、弾性接触片部３３及び接地用接続端子部３４を有して構成されている。
【００４４】
固定部３２は、矩形状に形成され、モールドケース成形の際にインサート成型によりモールドケース底部１０ｂに埋設されてモールドケース１０と一体化することによりモールドケース底部１０ｂに固定されるようになっている。
【００４５】
この固定部３２の外側縁部、即ち被操作側スイッチコンタクト側の縁部には、弾性接触片部３３の基端側部３３ａが支持される支持部３２ａが形成されている。
【００４６】
弾性接触片部３３は、固定部の支持部３２ａより上向きに折り曲げた形状の基端側部３３ａより操作用ピンの出し入れ方向手前側に向けた可動部３３ｂが形成され、その前端に前述した操作用凸部３０及び可動接点部３１が一体に形成されている。
【００４７】
基端側部３３ａは、インサート成型によりモールドケースの側壁部１０ｃと一体化され、可動部３３ｂが側壁部１０ｃより突出した状態でモールドケース１０に支持されている。
【００４８】
操作用凸部３０は、可動部３３ｂより内側に向けて傾斜した奥側傾斜部３０ａと、頂部３０ｂより折り曲げて外側に向けて傾斜した手前側傾斜部３０ｃとをもって構成され、手前側傾斜部３０ｃの先端側部より円弧状に折り曲げた形状に可動接点部３１が形成されている。
また、固定部３２の内側縁部手前側端部には、接地用接続端子部３４が支持されている。
【００４９】
接地用接続端子部３４は、固定部３２の内側縁部より横向きに突出した横向き延長部３４ａが形成され、その後端より出し入れ方向奥側に向けた奥側延長部３４ｂが形成され、更にその後端に下向きに傾斜した傾斜部３４ｃを介して奥側に向けた接続端子片３４ｄが形成されている。
【００５０】
接続端子片３４ｄは、モールドケース１０の底部に形成された露出孔３５より底面に露出し、接続基板の接地パターンに半田付けされるようになっている。
【００５１】
被操作側スイッチコンタクト２７は、図９に示すように、導電性金属板材を打ち抜き・折り曲げ加工することにより全体が一体に形成され、支持固定部４１、弾性接触片部４２及び基板接続端子部４３を有して構成されている。
【００５２】
支持固定部４１は、細長矩形状に形成され、その出し入れ方向手前側部に突出部４１ａと弾性接触片部４２とが二股状となるように一体に形成されている。
【００５３】
モールドケース１０の側部には、出し入れ方向に向けたコンタクト収容溝４４が形成されており、このコンタクト収容溝４４内に支持固定部４１が収容されるようになっている。尚、図中符号４１ｂは、圧入片であり、この圧入片４１ｂをコンタクト収容溝４４の底部に形成された図示しない圧入孔に圧入することにより支持固定部４１をコンタクト収容溝４４内に固定するようになっている。
【００５４】
コンタクト収容溝４４は、モールドケース１０の側壁部１０ｃ上面に開口して形成され、突出部４１ａは、モールドケースの内底面より下側に挿入されるように形成されている。
【００５５】
また、モールドケースの側壁部１０ｃには、取出し操作検知スイッチの動作が阻害されないように逃げ用孔４５が形成されており、この逃げ用孔４５の内側面より弾性接触片部４２が孔内に突出するようになっている。尚、図中符号４５ａは当て止め段部であり、接点部の先端部が内側に動作しないよう当て止めされるようになっている。
【００５６】
弾性接触片部４２は、支持固定部４１の前縁部より出し入れ方向手前側に延長された細長板状の前側延長部４２ａの前端に内側に向けて傾斜した傾斜部４２ｂが形成され、その後端に平板状の接点部４０が形成されている。
【００５７】
また、支持固定片部４１の中央部には、内側、即ち操作側スイッチコンタクト側斜め方向に折り曲げた形状の端子支持部４７が形成され、その先端部に外側、即ち操作側スイッチコンタクトとは反対側に折り曲げた形状の接続端子部４３が形成されている。
【００５８】
モールドケースの側壁部１０ｃには、露出用凹部４８が形成されており、この凹部４８より接続端子部４３がモールドケース１０の底面に露出し、接続基板上の接続パターンに半田付けされるようになっている。
【００５９】
このように構成された取出し機能付きカードコネクタは、図６に示す如くカードトレイ１が押し出し停止位置にある場合、タイミングスイッチ１３がオン状態にあり、取出し操作用ピン８も挿入されていないので取出し操作検知スイッチ２５はオフ状態にある。
【００６０】
この位置からカードＡが収容されたカードトレイ１を復帰バネ１７の付勢力に抗して押し込むと、カードトレイ１の奥側縁部がタイミング用操作側スイッチコンタクト１４の弾性操作片部１４ａと接触し、更に押し込むとカードトレイ１の押し込み動作により弾性操作片部１４ａが接点部１５ａより離脱する方向に動作され、タイミングスイッチ１３がオフ状態となりカードトレイ１の挿入が検知される。
【００６１】
このとき、カードトレイ１は、図１０に示す如く所定の押し込み位置まで到達し、ロック部材１８の係合部２０がスライダー１６と互いに係合し、カードトレイ１がロック機構によりその移動が規制された状態となる。
【００６２】
次に、このカードトレイ１を取り出す場合、まず、カードトレイ１のガイド孔７を通した取出し操作用ピン８をピン挿入部２４内に挿入すると、当該操作用ピン８は、図１１に示すように、スライダー１６の移動規制のためのロック機構をロック部材１８に到達する前に、操作側スイッチコンタクト２６の操作用凸部手前側傾斜部３０ｃに接触する。
【００６３】
このとき、操作側スイッチコンタクト２６は、被操作側スイッチコンタクト２７とは非接触の状態にあり、且つ接続基板の接地パターンに接続されて接地されているので、操作用ピン８に帯電していた静電気は接地側に開放されて静電気が取り除かれる。
【００６４】
更に操作用ピン８を押し込むと、操作用凸部３０が外側に押され図１２，１３に示すように、可動接点部３１が被操作側スイッチコンタクト２７の接点部４０と接触し、取出し操作検知スイッチ２５がオン状態となり取出し操作の開始を検知する。即ち、実際にカードトレイ１が取出される前に取出し動作を検知し、カード挿入部１２内に露出している信号伝達用のコンタクト４，４......を非活線状態、即ち読み込み・書き込み不可状態とする。
【００６５】
更に、操作用ピン８を押し込むと、図１４、１５に示すように、操作用ピン８の先端部がロック部材１８の被操作凸部２１と接触し、それに連動して係合部３０がスライダー１６より離脱してロック機構によるロック状態が解除される。
【００６６】
それと同時に復帰バネ１７の付勢力によりスライダー１６が押し出し方向に押され、スライダー１６の端部が取出し操作用ピン８の先端部に当接する。即ち、スライダー１６は、取出し操作用ピン８に制御されつつ移動する状態となる。
【００６７】
次に、操作用ピン８を抜き出す動作に伴い、スライダー１６も押出し方向に移動してカードトレイ１も押出し方向に移動する。このとき、タイミングスイッチ１３の操作側スイッチコンタクト１４の弾性操作片部１４ａも自身のバネ性により固定接点部側に動作し、カードＡの信号伝達端子３，３......に対する信号伝達用のコンタクト４，４......の離脱タイミングに合わせてタイミングスイッチ１３がオン状態となる。
【００６８】
このとき、すでに信号伝達用コンタクト４，４......は非活線状態にあるので、タイミングスイッチ１３のスイッチングとコンタクトの離脱タイミングとの間にタイムラグが生じたとしてもデータが消去されてしまう等の障害を防止することができる。
【００６９】
そして、スライダー１６に押し出されてカートトレイ１は、図１６に示すように、押し出し停止位置まで押し出される。更に取出し操作用ピン８を引き抜き、ピン挿入部２４より引抜かれると取出し操作検知スイッチ２５がオフ状態となり、図６に示す状態に戻る。
【００７０】
尚、取出し操作検知スイッチがオフのまま、タイミングスイッチがオフの状態からオンの状態に動作した場合には、正常な取出し操作を経ずにカードトレイが取出された等の異常を検知することもできる。
【００７１】
尚、ロック部材は、上述の実施例の他、図１７に示すように、弾性係止部５０が片持ち支持された形状のものであってもよい。
【００７２】
このロック部材は、弾性係止部５０が細長板状に形成されており、一方の端部にスライダー側に向けて略直角に折り曲げた形状の係合部５１を有し、他端側がハウジングに固定された支持部５２に一体に支持されている。また、弾性係止部５０の中央よりやや支持部側にカード状部材側に突出した形状の被操作部５３が形成されており、この被操作部５３が取出し操作用部材８と接触することにより図中点線で示すように、弾性係止部５０を支持部側を基端として係合部５１がスライダー１６より離反する方向に回動させるようになっている。
【００７３】
また、上述の実施例では、常開式の取出し操作検知スイッチについて説明したが、取出し操作検知スイッチは、常閉式のものであってもよく、この場合、取出し操作用ピンの挿入動作に伴い操作用凸部が側方に押し出されることによって可動接点部が被操作側スイッチコンタクトの接点部より離反し、スイッチをオフ状態にする。
【００７４】
更に、取出し操作検知スイッチは、図１８に示すように複数の操作側スイッチコンタクト６０，６０を取り出し操作用部材８の挿抜方向に並べて配置してもよい。尚、図中符号６１は、被操作側スイッチコンタクトであり、接点部６２がモールドケースの側壁１０ｃの内側に露出するように設置されている。
【００７５】
更にまた、上述の実施例では、カード状部材として内部にカードを収容するカードトレイを用いた例について説明したが、トレイを用いずにカードを直接コネクタに挿入するようにしたものであってもよい。
【符号の説明】
【００７６】
Ａ カード
１ カードトレイ（カード状部材）
２ ハウジング
３ 端子部
４ コンタクト
５ 本体部
６ 前縁露出部
７ ガイド孔
８ 取出し操作用ピン
１０ モールドケース
１０ａ 奥側壁部
１０ｂ 底部
１０ｃ 側壁部
１１ シールカバー
１２ カード状部材挿入部
１３ タイミングスイッチ
１４ タイミング用操作側スイッチコンタクト
１４ａ 弾性操作片部
１４ｂ 支持部
１４ｃ 後延長部
１４ｄ 可動接点部
１４ｅ 接続端子部
１５ タイミング用操作側スイッチコンタクト
１６ スライダー
１７ 復帰バネ
１８ ロック部材
２１ 係合部
２２ 係合用切欠部
２３ 被操作凸部
２４ ピン挿入部
２５ 取出し操作検知スイッチ
２６ 操作側スイッチコンタクト
２７ 被操作側スイッチコンタクト
３０ 操作用凸部
３１ 可動接点部
３２ 固定部
３２ａ 支持部
３３ 弾性接触片部
３３ａ 基端側部
３３ｂ 可動部
３４ 接地用接続端子部
３４ａ 横向き延長部
３４ｂ 奥側延長部
３４ｃ 傾斜部
３４ｄ 接続端子片
３５ 露出孔
４０ 接点部
４１ 支持固定部
４１ａ 突出部
４２ 弾性接触片部
４２ａ 前側延長部
４２ｂ 傾斜部
４３ 基板接続端子部
４４ コンタクト収容溝
４５ 逃げ用孔
４６ 切れ込み
４７ 端子支持部
４８ 露出用凹部
５０ 弾性係止部
５１ 係合部
５２ 支持部
５３ 操作部
６０ 操作側スイッチコンタクト
６１ 被操作側スイッチコンタクト
６２ 接点部
【図１】
0005207196.tif 000002
【図２】
0005207196.tif 000003
【図３】
0005207196.tif 000004
【図４】
0005207196.tif 000005
【図５】
0005207196.tif 000006
【図６】
0005207196.tif 000007
【図７】
0005207196.tif 000008
【図８】
0005207196.tif 000009
【図９】
0005207196.tif 000010
【図１０】
0005207196.tif 000011
【図１１】
0005207196.tif 000012
【図１２】
0005207196.tif 000013
【図１３】
0005207196.tif 000014
【図１４】
0005207196.tif 000015
【図１５】
0005207196.tif 000016
【図１６】
0005207196.tif 000017
【図１７】
0005207196.tif 000018
【図１８】
0005207196.tif 000019
【図１９】
0005207196.tif 000020